(57)【特許請求の範囲】
【請求項１】
商用交流電源に接続された定電圧素子と；
この定電圧素子に対して並列にそれぞれ接続されたキャパシタンスがそれぞれ０．４７μＦ以上の２つのアクロスザラインコンデンサと；
これら２つのアクロスザラインコンデンサのうちの一方のアクロスザラインコンデンサの両端に各一端側がそれぞれ接続され、他方のアクロスザラインコンデンサの両端に各他端側がそれぞれ接続されたインダクタンスがそれぞれ０．３３ｍＨ以上の２つのノーマルモードチョークと；
他方のアクロスザラインコンデンサの両端にそれぞれ接続され合計インダクタンスが８ｍＨ以上のコモンモードチョークと；
コモンモードチョークのいずれかに接続されインダクタンスが２２００ｐＦ以上の接地コンデンサと；
を具備したことを特徴とするフィルタ回路。
【請求項２】
放電ランプを点灯させる放電灯点灯回路に接続された請求項１記載のフィルタ回路と；
このフィルタ回路を収納する筐体と；
を具備したことを特徴とするフィルタ装置。
【請求項３】
放電ランプを点灯させる放電灯点灯回路と；
この放電灯点灯回路の雑音を除去する通常フィルタ回路と；
これら放電灯点灯回路および通常フィルタ回路を収納する器具本体と；
器具本体に筐体が取り付けられる請求項２記載のフィルタ装置と；
を具備したことを特徴とする放電灯点灯装置。
【発明の詳細な説明】
【０００１】
【発明の属する技術分野】
本発明は、電磁妨害をより抑制するフィルタ回路、フィルタ装置および放電灯点灯装置に関する。
【０００２】
【従来の技術】
従来、この種の放電灯点灯装置は、高周波で放電ランプを点灯させる放電灯点灯装置としてのインバータ回路を有する場合、インバータ回路からのノイズを除去するために、フィルタ回路を設けている。このフィルタ回路は、電気用品取締法で規制される５２６．５ｋＨｚないし３０ＭＨｚの範囲内のノイズは除去するものの、５２６．５ｋＨｚ以下の周波数のノイズは除去していない。
【０００３】
【発明が解決しようとする課題】
しかしながら、５２６．５ｋＨｚ以下の周波数については、国際規格ＣＩＳＰＲ１５で規制されているとともに、９ｋＨｚないし５２６．５ｋＨｚの周波数でも医療機器に電磁妨害を与えるおそれがある問題を有している。
【０００４】
本発明は、上記問題点に鑑みなされたもので、５２６．５ｋＨｚ以下のノイズを低減するフィルタ回路、フィルタ装置および放電灯点灯装置を提供することを目的とする。
【０００５】
【課題を解決するための手段】
請求項１記載のフィルタ回路は、商用交流電源に接続された定電圧素子と；この定電圧素子に対して並列にそれぞれ接続されたキャパシタンスがそれぞれ０．４７μＦ以上の２つのアクロスザラインコンデンサと；これら２つのアクロスザラインコンデンサのうちの一方のアクロスザラインコンデンサの両端に各一端側がそれぞれ接続され、他方のアクロスザラインコンデンサの両端に各他端側がそれぞれ接続されたインダクタンスがそれぞれ０．３３ｍＨ以上の２つのノーマルモードチョークと；他方のアクロスザラインコンデンサの両端にそれぞれ接続され合計インダクタンスが８ｍＨ以上のコモンモードチョークと；コモンモードチョークのいずれかに接続されインダクタンスが２２００ｐＦ以上の接地コンデンサとを具備したもので、９ｋＨｚないし５２６．５ｋＨｚの周波数のノイズを除去する。
【０００６】
請求項２記載のフィルタ装置は、放電ランプを点灯させる放電灯点灯回路に接続された請求項１記載のフィルタ回路と；このフィルタ回路を収納する筐体とを具備したもので、請求項１記載のフィルタ回路により９ｋＨｚないし５２６．５ｋＨｚの周波数のノイズを除去する。
【０００７】
請求項３記載の放電灯点灯装置は、放電ランプを点灯させる放電灯点灯回路と；この放電灯点灯回路の雑音を除去する通常フィルタ回路と；これら放電灯点灯回路および通常フィルタ回路を収納する器具本体と；器具本体に筐体が取り付けられる請求項２記載のフィルタ装置とを具備したもので、器具本体にフィルタ装置を取り付けることにより、それぞれの作用を奏する。
【０００８】
【発明の実施の形態】
以下、本発明の放電灯点灯装置の第１の関連技術を図面を参照して説明する。
【０００９】
図１はフィルタ回路を示す回路図、図２は放電灯点灯装置を示す説明図、図３は放電灯点灯装置を示すブロック図である。図２に示すように、１は器具本体としてのシャーシで、このシャーシ１は下面に反射面２を有し、この反射面２には放電ランプとしての蛍光ランプ３，４が一対装着され、反射面２の中央には線挿通孔５が開口形成されている。そして、この線挿通孔５の近傍に位置して端子台６が配設され、この端子台６には商用交流電源ｅに接続された送り配線７が接続されている。
【００１０】
また、反射面２の背面側には、図３に示すように、ノイズのうち９ｋＨｚないし５２６．５ｋＨｚの周波数のノイズを除去する図１に示すフィルタ回路８が筐体９に収納されたフィルタ装置としてのフィルタユニット10が設けられ、このフィルタユニット10は端子台６にフィルタユニット入力線11に接続されている。さらに、蛍光ランプ３，４をたとえば５０ｋＨz以下の高周波で高周波点灯させる図示しない放電灯点灯回路およびこの放電灯点灯回路からのおよそ５２６．５ｋＨｚないし３０ＭＨｚのノイズを減衰する通常フィルタ回路を有する放電灯点灯装置としての安定器12が配設され、この安定器12はフィルタユニット出力線13を介してフィルタユニット10に接続され、出力線14を介して蛍光ランプ３，４に電力を供給する。なお、端子台６からフィルタユニット10までのフィルタユニット入力線11の長さをフィルタユニット10から安定器12までのフィルタユニット出力線13の長さに比べて短くすることにより、フィルタユニット入力線11に重畳されるノイズを極力少なくしてフィルタユニット10の能力を効果的にする。
【００１１】
さらに、図１に示すように、商用交流電源ｅから送り配線７を介して、インダクタンスが１０ｍＨ以上、たとえば１０ｍＨのノーマルモードチョークL1および同様にインダクタンスが１０ｍＨ以上、たとえば１０ｍＨのノーマルモードチョークL2が接続され、ノーマルモードチョークL1は合計インダクタンスが８ｍＨ以上、たとえば１０ｍＨのコモンモードチョークTr1の一方の巻線Tr1aに接続され、ノーマルモードチョークL2はコモンモードチョークTr1の他方の巻線Tr1bに接続され、フィルタユニット出力線13を介して安定器12に接続されるようになっている。
【００１２】
そして、安定器12の放電灯点灯回路で蛍光ランプ３，４を高周波点灯し、通常フィルタ回路で５２６．５ｋＨｚないし３０ＭＨｚの周波数のノイズを減衰させる。
【００１３】
また、フィルタ回路８では、９ｋＨｚないし５２６．５ｋＨｚの周波数のノイズを減衰させる。このようにして、安定器12の通常フィルタで減衰できない周波数のノイズをフィルタ回路８で減衰させることにより、図４に示す国際規格ＣＩＳＰＲ１５の規格にも対応し、医療機器その他の電気機器に電磁妨害を与えるおそれがなくなる。
【００１４】
さらに、フィルタユニット10を安定器12とは別個にし、フィルタ回路８が収納されている筐体９をシャーシ１に取り付けるとともに、フィルタ回路８をフィルタユニット入力線11により送り配線７に接続される端子台６およびフィルタユニット出力線13により安定器12の間に接続すればよいので、後からフィルタ回路８を電気的および機械的に容易に取り付けることができるので、既存の放電灯点灯装置にも対応できる。
【００１５】
次に、本発明の第２の関連技術を図５を参照して説明する。
【００１６】
図５は第２の関連技術のフィルタ回路を示す回路図で、商用交流電源ｅから送り配線７、端子台６およびフィルタユニット入力線11を介して、インダクタンスが３ｍＨ以上、たとえば３ｍＨのノーマルモードチョークL3および同様にインダクタンスが３ｍＨのノーマルモードチョークL4が接続され、ノーマルモードチョークL2は合計インダクタンスが８ｍＨ以上、たとえば１０ｍＨのコモンモードチョークTr2の一方の巻線Tr2aに接続され、ノーマルモードチョークL4はコモンモードチョークTr2の他方の巻線Tr2bに接続され、コモンモードチョークTr2の他方の巻線Tr2bにはキャパシタンスが２２００ｐＦの接地コンデンサC1が接続され、フィルタユニット出力線13を介して安定器12に接続されるようになっている。
【００１７】
そして、この図５に示すフィルタ回路８では、９ｋＨｚないし５２６．５ｋＨｚの周波数のノイズを図６に示すように減衰させ、国際規格ＣＩＳＰＲ１５の規格にも対応する。
【００１８】
次に、一実施の形態を図７を参照して説明する。
【００１９】
図７は一実施の形態のフィルタ回路を示す回路図で、商用交流電源ｅから送り配線７、端子台６およびフィルタユニット入力線11を介して、ヒューズＦおよび定電圧素子Z1の直列回路が接続され、定電圧素子Z1に対して並列にキャパシタンスが０．４７μＦ、たとえば０．４７μＦのアクロスザラインコンデンサC2が接続され、このアクロスザラインコンデンサC2の両端からは、それぞれインダクタンスが０．３３ｍＨ以上、たとえば０．３３ｍＨのノーマルモードチョークL5の一端および同様にインダクタンスが０．３３ｍＨ以上、たとえば０．３３ｍＨのノーマルモードチョークL6の一端が接続され、これらノーマルモードチョークL5の他端およびノーマルモードチョークL6の他端間にキャパシタンスが０．４７μＦ以上、たとえば０．４７μＦのアクロスザラインコンデンサC3が接続され、ノーマルモードチョークL5は合計インダクタンスが８ｍＨ以上、たとえば１０ｍＨのコモンモードチョークTr3の一方の巻線Tr3aに接続され、ノーマルモードチョークL6はコモンモードチョークTr3の他方の巻線Tr3bに接続され、コモンモードチョークTr3の他方の巻線Tr3bにはキャパシタンスが２２００ｐＦの接地コンデンサC4が接続され、フィルタユニット出力線13を介して安定器12に接続されるようになっている。
【００２０】
そして、この図７に示すフィルタ回路８では、９ｋＨｚないし５２６．５ｋＨｚの周波数のノイズを図８に示すように減衰させ、国際規格ＣＩＳＰＲ１５の規格にも対応する。
【００２１】
【発明の効果】
請求項１記載のフィルタ回路によれば、９ｋＨｚないし５２６．５ｋＨｚの周波数のノイズを除去できる。
【００２２】
請求項２記載のフィルタ装置によれば、請求項１記載のフィルタ回路により９ｋＨｚないし５２６．５ｋＨｚの周波数のノイズを除去できる。
【００２３】
請求項３記載の放電灯点灯装置によれば、器具本体にフィルタ装置を取り付けることにより、それぞれの効果を奏することができる。
【図面の簡単な説明】
【図１】  本発明のフィルタ回路の第１の関連技術を示す回路図である。
【図２】  同上放電灯点灯装置を示す説明図である。
【図３】  同上放電灯点灯装置を示すブロック図である。
【図４】  国際規格ＣＩＳＰＲ１５の周波数と利得との関係を示すグラフである。
【図５】  本発明の第２の関連技術のフィルタ回路を示す回路図である。
【図６】  同上図５に示すフィルタ回路の減衰特性を示すグラフである。
【図７】  同上一実施の形態のフィルタ回路を示す回路図である。
【図８】  同上図７に示すフィルタ回路の減衰特性を示すグラフである。
【符号の説明】
１    器具本体としてのシャーシ
３，４    放電ランプとしての蛍光ランプ
８    フィルタ回路
９    筐体
10    フィルタ装置としてのフィルタユニット
12    放電灯点灯装置としての安定器
C2，C3    アクロスザラインコンデンサ
C4 接地コンデンサ
ｅ 商用交流電源
L5，L6    ノーマルモードチョーク
Tr3   コモンモードチョーク
Z1 定電圧素子
【図１】
0004585663.tif 000002
【図２】
0004585663.tif 000003
【図３】
0004585663.tif 000004
【図４】
0004585663.tif 000005
【図５】
0004585663.tif 000006
【図６】
0004585663.tif 000007
【図７】
0004585663.tif 000008
【図８】
0004585663.tif 000009